(57)【特許請求の範囲】
【請求項１】
所要間隔で支柱を立設し、該支柱の上に支持部材を横架し、裏面側で
ある支持部材と接する側に長手方向の全長にわたって一定間隔で補強材を取着した型枠兼
用断熱材を該補強材の両端側が支持部材によって支持されるようにして敷き詰め、敷き詰
めた型枠兼用断熱材の周囲の一部又は全部を躯体側に止め付けた固定用棒部材により囲ん
で位置決め固定した後、必要な場合には配筋を行いかつコンクリートを打設することを特
徴とする型枠兼用断熱材を持つコンクリート躯体の施工方法。
【請求項２】
請求項１に記載の型枠兼用断熱材を持つコンクリート躯体の施工方法
において、支持部材の上であって施工後に梁となるべき型枠兼用断熱材が配置されない箇
所には当該梁の幅よりも幾分広い幅を持つ平板を敷き詰める工程を行い、その後に支持部
材および平板によって支持しながら型枠兼用断熱材の敷き詰めを行うことを特徴とする請
求項１に記載の型枠兼用断熱材を持つコンクリート躯体の施工方法。
【請求項３】
コンクリート躯体がコンクリートスラブであることを特徴とする請求項１又は２に記載の型枠兼用断熱材を持つコンクリート躯体の施工方法。
【発明の詳細な説明】
【０００１】
【発明の属する技術分野】
本発明は、コンクリートスラブやコンクリート壁のようなコンクリート躯体の施工方法及び該コンクリート躯体を備えた構造物に関し、特に、コンクリート打設前の型枠を実質的に省略することにより、施工効率を大幅に改善することを可能とした型枠兼用断熱材を持つコンクリート躯体の施工方法と該コンクリート躯体を備えた構造物に関する。
【０００２】
【従来の技術】
鉄筋コンクリート造の建築物において、コンクリートスラブやコンクリート壁のようなコンクリート躯体部分の構築は、通常、水平方向あるいは垂直方向に型枠を建て込み、必要な配筋を行い、該型枠内にコンクリートを打設し、コンクリートが硬化した後、型枠を取り外すことによって行われる。構築するコンクリート躯体部分の種類によっては、コンクリート壁に板状の合成樹脂発泡体が断熱材として張り付けられることがある。
【０００３】
型枠施工と断熱材の張り付けを別の作業で行うことは労力が大きいことから、それを同時に行うようにしたコンクリート躯体における型枠兼用断熱材の施工方法として、大引き上に狭い間隔で多数本の根太を敷設し、その上に型枠兼用断熱材を置き、該型枠兼用断熱材を釘などの固定用金具を用いて横桟に釘打ち固定した後、その上にコンクリートを打設するようにした施工方法も提案されている（特開平７−９０９５０号公報参照）。施工後に、根太及び大引きなどの支持部材は除去され、型枠兼用断熱材はコンクリートと一体化して躯体側に残される。
【０００４】
【発明が解決しようとする課題】
前記特開平７−９０９５０号公報に記載される型枠兼用断熱材の施工方法は、従来のように水平型枠を用いないので、その分、施工現場での型枠組み建て込み作業や施工後の型枠取り外し作業は省力化でき、また、廃材となった型枠用合板を処理するなどの作業も不要となるメリットがある。しかし、型枠兼用断熱材を支えるために大引きの上に狭い間隔で多数本の根太を配置することが必要であり、また、型枠兼用断熱材を位置決め固定するために釘や特別の固定用金具を用意して、それを個々の型枠兼用断熱材ごとに躯体側に打ち付ける作業が必要となる。
【０００５】
本発明の目的は、従来提案されている上記のようなコンクリート躯体部分の施工方法をさらに改良することにあり、より具体的には、型枠兼用断熱材を支える支持部材の取り付け作業を大幅に省力化すること、施工時に型枠兼用断熱材の位置決め固定を容易化することを可能とする型枠兼用断熱材を持つコンクリート躯体の施工方法及びそのようなコンクリート躯体を持つコンクリート構築物を提供することにある。
【０００６】
【課題を解決するための手段】
上記の課題を解決するための本発明による型枠兼用断熱材を持つコンクリート躯体の施工方法は、基本的に、所要間隔で支柱を立設し、該支柱の上に支持部材を横架し、該支持部材の上に必要な場合には平板を配置し、裏面に補強材を取着した型枠兼用断熱材を該支持部材あるいは必要な場合に配置した平板によって支持しながら敷き詰め、敷き詰めた型枠兼用断熱材の周囲の一部又は全部を躯体側に止め付けた固定用棒部材により囲んで位置決め固定した後、必要な場合には配筋を行いかつコンクリートを打設することを特徴とする。
【０００７】
また、本発明によるコンクリート躯体を備えた構造物は、裏面に補強材を取着した型枠兼用断熱材がその周囲の一部又は全部に固定用棒部材を配置した状態で、上面と４側面とが打設されたコンクリートにより覆われた構成を少なくとも有するコンクリート躯体を備えていることを特徴とする。
前記型枠兼用断熱材としては、軽量でありまた打設されるコンクリートによって変形などしないことを条件に任意のものを用いうるが、発泡ポリスチレンのような合成樹脂発泡体が最も好適に用いられる。合成樹脂発泡体としては、他にエチレン系樹脂、プロピレン系樹脂などからなる合成樹脂発泡体などを使用することができる。
【０００８】
本発明の施工方法によれば、型枠兼用断熱材は裏面側に補強材を備えており、支持部材又は必要に応じて配置した平板で該型枠兼用断熱材を直接下面から支えるだけで、施工時における諸荷重に耐えることができる。そのために、従来工法でのように、型枠兼用断熱材の支持のために大引き上に狭い間隔で多数本の根太を敷設する作業を省略することができ、型枠兼用断熱材を配置するための作業が大きく省力化される。
【０００９】
さらに、敷き詰めた型枠兼用断熱材の位置決め固定は、その周囲の一部又は全部に固定用の棒部材を配置し、該固定用棒部材を躯体側に釘打ちなどにより止め付けることによって行われる。長尺部材である固定用棒部材を用いたことにより、多数枚の型枠兼用断熱材に対して同時に位置決めと固定を行うことができ、一枚ごとに釘打ち固定する場合と比較して、位置決め作業は大きく省力化される。
【００１０】
本発明において、型枠兼用断熱材の裏面に取着する補強材の素材、配置、取着本数などは、当該コンクリート躯体の施工時に予定される負荷荷重や型枠兼用断熱材としての本来の機能（軽量化など）を失わないことなどを条件に、施工現場に応じて設計的に定めればよい。素材としては、木材、合成木材、加工木質材のような木質材料、ＦＲＰのような合成樹脂材料、アルミのような軽量金属材料などを用いることができる。該補強材は、型枠兼用断熱材の裏面側、すなわち、支持部材と接する側に、その長手方向の全長にわたって一定間隔で配置されるのが好ましいが、表面側にも配置されていてもよい。
【００１１】
本発明による上記の施工方法は、コンクリート壁、裏面が平坦なコンクリートスラブ、スラブ厚よりも梁せいが高くされた梁を持つコンクリートスラブなど、任意の形状のコンクリート躯体部分の施工に適用できる。スラブ厚よりも梁せいが高くされた梁を持つコンクリートスラブを施工する際には、梁せい下面とスラブ下面との段差となる空間内に、前記補強材を取着した複数枚の型枠兼用断熱材が、その下端面レベルが梁せい下面と同じレベルとなるようにして水平に敷き詰められる。
【００１２】
この施工態様では、梁の部分の横幅は軽量充填材である前記型枠兼用断熱材の側面によって規制される。そのために、従来必要とされた梁用型枠である断面凹溝状の型枠が不要となり、必要な場合には、梁の下面位置に合板のような平板材を梁せい下面の高さ位置で水平に敷き詰めるだけで、所望の形状のコンクリート打設空間を得ることができる。複数枚の型枠兼用断熱材を敷き詰めた後に、必要な場合には配筋を行い、コンクリートを打設する。その際に、配筋が型枠兼用断熱材に接触しないように、型枠兼用断熱材と配筋との間にスペーサを配置するようにしてもよい。
【００１３】
本発明において、型枠兼用断熱材同士は、その周囲を躯体側に止め付けた固定用棒部材により取り囲んだ状態で位置決め固定されているので、コンクリート打設時などに型枠兼用断熱材が位置ずれを起こすようなことはなく、型枠兼用断熱材同士の隙間から打設したコンクリートのノロが流下するような不都合は回避される。
数週間コンクリートの養生を行い、コンクリートの強度が発現するのを待ち、支柱、支持部材及び必要に応じて配置した平板を取り外して、本発明によるコンクリート躯体の施工は終了し、本発明によるコンクリート躯体を備えた構造物が構築される。支持部材などを取り外しても、型枠兼用断熱材及びその周囲に配置した固定用棒部材はコンクリートとの付着力により安定して保持される。
【００１４】
施工しようとするコンクリート躯体部分がコンクリートスラブの場合に、裏面に取着した補強材を天井仕上げ用の下地面として利用して天井材を取り付けることができ、平坦な天井面を容易に構築することができる。また、吊りボルトなどを介して、コンクリートスラブの下面に吊り天井を取り付けることもでき、この場合には、コンクリートスラブ下面と天井材との間の空間を配線や配管用のスペースとして容易に利用することができる。
【００１５】
【発明の実施の形態】
以下、図面を参照しながら、本発明による型枠兼用断熱材を持つコンクリート躯体の施工方法のいくつかの実施の形態、及び構築物を、主にコンクリートスラブを施工する場合を例として説明する。
図１は、型枠兼用断熱材１０の一例であり、基材として好ましくは発泡ポリスチレンのビーズ型内発泡成形品や押出し発泡品のような合成樹脂発泡体が用いられ、裏面側にＦＲＰ樹脂あるいは木質材からなる補強材１１が所要本数（図示の例では４本）取着されている。補強材は、型枠兼用断熱材の成形時に一体成形してもよく、成形後に埋め込みなどにより取着してもよい。
【００１６】
図１に示す型枠兼用断熱材１０を用いてコンクリートスラブを施工する方法を図２、図３、図４を参照して説明する。先ず、建物のコンクリートスラブ５０の下面となる領域の全域に支柱１を所要の間隔で立て、支柱１上には、大引きのような適宜の横架状の支持部材２を設置する。図３、図４に示すように、梁２０となるべき位置は型枠兼用断熱材１０が配置されない箇所であり、その部分に、梁２０の幅よりも幾分広い幅を持つ平板２１を敷き詰める。さらに、高い床ふところを必要とする部分のように、型枠兼用断熱材１０を埋め込まない構造としたい箇所にも平面型枠２２を敷き詰める。また、必須ではないが、型枠兼用断熱材１０が配置される箇所の支持部材２の上にも、安定のために平板２３を敷き詰めてもよい。
【００１７】
図３からわかるように、前記梁１となるべき位置の両側縁、型枠兼用断熱材１０を埋め込まない構造としたい箇所の一側縁などは、敷き詰めるべき多数枚の型枠兼用断熱材１０の４周の側縁が位置決めされるべき箇所となる。そこで、そのような位置決めされるべき箇所に沿って、長尺状の固定用棒部材３０を釘などにより、前記横架状の支持部材２に打ち付け固定する。
【００１８】
図２にその状態を示しており、支持部材２の上に載置された平板２１の長手方向に、第１の固定用棒部材３０を釘などにより打ち付け固定し、次に、前記第１の固定用棒部材３０に直交する方向に、第２の固定用棒部材３０（不図示）を支持部材２に釘などにより打ち付け固定する。それにより、敷き詰めるべき多数枚の型枠兼用断熱材１０の直交する２つの側縁の位置は定められるので、止め付けられた第１と第２の固定用棒部材３０、３０に側縁を密着させるようにして、所要枚数の型枠兼用断熱材１０を全体が方形状となるように順次敷き詰める。
【００１９】
その後で、多数枚の型枠兼用断熱材１０が互いに密接した状態となるように２方向に押し付け、残りの（反対側の）２つの側縁に沿って、そこに密接するようにして、第３、第４の固定用棒部材３０、３０（不図示）を支持部材２に打ち付け止め付ける。それにより、方形状に敷き詰められた多数枚の型枠兼用断熱材１０は互いに密着した状態で、その４周の側縁を固定用棒部材３０により位置決め固定されたこととなり、以後、位置ずれなどを起こすことはない。
その後で、図４に示すように、スラブの配筋を行う。スラブ筋５の本数や配置形態は、従来工法による場合のスラブ配筋と同様であってよい。ただし、スラブ筋５を一定間隔で配置し、かつ、一定のかぶりを確保するために、この例では、型枠兼用断熱材１０の上に、スペーサ６を載置するようにしている。
【００２０】
配筋作業の終了後、コンクリート５１の打設を従来工法と同様にして行う。各型枠兼用断熱材１０同志は、互いに密着して固定されており、打設したコンクリートのノロが隙間から漏れ出ることはない。型枠兼用断熱材１０の周囲に合じゃくり係合部を形成することにより、ノロの漏出は一層確実に阻止できる。
３〜４週間コンクリートの養生を行い、コンクリートの強度が発現するのを待ち、所定強度が得られたことを確認して、支柱１、支持部材２、平板２１，２２、２３などを取り外す。必要に応じて、固定用棒部材３０の打ち付けに用いた釘の先端を必要に応じてスラブ同面で切断する。頭なしの釘を用いる場合には、全体を引き抜くこともできる。これにより、コンクリートスラブの施工は終了し、打設したコンクリート５１と型枠兼用断熱材１０とが一体となったコンクリートスラブ５０が得られると共に、本発明によるコンクリートスラブを備えた構築物が構築される。
【００２１】
本発明による施工法では、図示のように、梁となるべき位置など、型枠兼用断熱材１０を配置しない場所の下面のみに平板２１，２２，２３を配置するのみですべての施工を行うことが可能であり、型枠作業が大幅に簡素化される。また、本発明の施工方法において、型枠兼用断熱材は軽量物であり、型枠兼用断熱材の使用が建物の設計重量に変更を与えることはない。そのために、コンクリートスラブの強度設計などは従来法による場合と同様に行うことができる。また、型枠兼用断熱材は断熱材としての機能も有しており、寒冷地などで行われる断熱施工を一部省略することも可能となる。
【００２２】
【発明の効果】
上記のとおりであり、本発明によれば、施工後のコンクリートスラブなどのコンクリート躯体部の強度などになんら影響を与えることなく、コンクリート躯体の施工をきわめて簡素化することができ、作業時間の短縮を図ることができる。特に、従来のように梁用型枠や平面型枠を実質的に用いないので、合板のような板材の確保、保管、施工後の処分を必要とせず、低コストでのコンクリート躯体部の施工が可能となる。
さらに、本発明のコンクリート躯体の施工方法によるコンクリート躯体を備えた構築物にあっては、施工の容易性に加えて、型枠兼用断熱材が断熱材としての機能も奏することから、断熱性に富んだ構築物が得られる。
【図面の簡単な説明】
【図１】本発明に用いる型枠兼用断熱材の一実施の形態を示す斜視図。
【図２】本発明によるコンクリート躯体の施工方法を説明する斜視図。
【図３】本発明によるコンクリート躯体の施工方法を説明する断面図。
【図４】本発明によるコンクリート躯体の施工方法を説明する要部断面図。
【符号の説明】
１…支柱、２…支持部材、５…スラブ筋、１０…型枠兼用断熱材、１１…補強材、２１，２２、２３…平板、３０…固定用棒部材、５０…コンクリートスラブ、５１…打設コンクリート
【図１】
0003611479.tif 000002
【図２】
0003611479.tif 000003
【図３】
0003611479.tif 000004
【図４】
0003611479.tif 000005